(57)【特許請求の範囲】
【請求項１】
ブレード部とこのブレード部から延びたハンドル部とを備え、前記ブレード部が横長な板状の土均し部とこの土均し部の上縁部の側より前記ハンドル部の側に突出した横長な板状の土抑え部とを備え、前記土均し部に排土孔部が設けられた整地用具であって、前記ハンドル部がパイプ部材からなり、このパイプ部材の端部が板状に押し潰された固定部として構成され、この固定部が折り曲げられて前記土均し部に固定手段で固定され、前記パイプ部材の前記固定部に隣接する部分が前記土抑え部に固定手段で固定されたことを特徴とする整地用具。
【請求項２】
前記固定部が前記土均し部の裏面に固定され、前記パイプ部材の前記固定部に隣接する部分が前記土抑え部の裏面に固定されたことを特徴とする請求項１記載の整地用具。
【請求項３】
前記パイプ部材の前記土抑え部に固定手段で固定される部分の内部には当該パイプ部材の潰れ防止用のスペーサ部が設けられたことを特徴とする請求項１に記載の整地用具。
【発明の詳細な説明】
【技術分野】
【０００１】
本発明は、トンボ又はグラウンドレーキ等の人為操作用の整地用具に関する。
【背景技術】
【０００２】
図８を参照し、特許文献１で開示された人為操作用の整地用具３１について説明する。図８に示した整地用具３１は、ブレード部３２とブレード部３２から１本の棒状に延びたハンドル部３３とを備える。ブレード部３２は、横長板材の一方の長辺側に設けられた凹凸のレーキ部３４と横長板材の他方の長辺側をハンドル部３３の側へ湾曲させた凹凸の無い土均し部３５とを備える。そして、レーキ部３４に横長孔部３６が複数個設けられ、土均し部３５の凸状湾曲部３７に横長孔部３８が複数個設けられ、水田を整地する際に、該ブレード部３２に溜まる泥土が横長孔部３７，３９から後方に抜けるようになっている。
【０００３】
しかしならが、図８に示した整地用具３１の土均し部３５がハンドル部３３の固定された縦片部３９と縦片部３９からハンドル部３３の側へ折り曲げられた横片部４０と横片部４０より凸状湾曲部３７を経由して下方からハンドル部３３の側へ折り曲げられた湾曲部４１を備えた形状であり、ブレード部３２の構造が複雑である。
【先行技術文献】
【特許文献】
【０００４】
【特許文献１】実用新案登録第３０１９７２１号公報
【発明の概要】
【発明が解決しようとする課題】
【０００５】
本発明は、上記背景技術に鑑みてなされたものであり、ブレード部の構造が簡単で土が抜けやすい人為操作用の整地用具の提供を目的とする。
【課題を解決するための手段】
【０００６】
本発明は、ブレード部とブレード部から延びたハンドル部とを備えた整地用具であって、ブレード部が横長な板状の土均し部と土均し部の上縁部の側よりハンドル部の側に突出した横長な板状の土抑え部とからなるＬ字形又は弧状形に構成され、土均し部に排土孔部が設けられたことを特徴とする。
【発明の効果】
【０００７】
本発明は、ブレード部が土均し部と土抑え部とを備えたことで、ブレード部の構造が簡単であり、ブレード部の剛性が高くなり、ブレード部の変形が抑えられ、土均し部に排土孔部が設けられたことで、ブレード部の土抑え部が土均し部からの土の乗り越しを防ぎ、ブレード部の排土孔部から土が抜けやすくなり、土を適度に散らし、整地された地面の表面がふわりとした状態になり、土の重みでブレード部が重くならない。
【０００８】
本発明において、ブレード部がＬ字形又は弧状形に構成されれば、ブレード部が形成しやすい。本発明において、排土孔部が複数個の横長孔部により構成されば、一つの横長孔部からの抜ける土の量を多くできるため、孔部の数を減らすことができ、横長孔部を形成しやすい。本発明において、ハンドル部がＵ字形に構成されれば、ハンドル部の両端部がブレード部に固定でき、人がハンドル部を操作して土を均す時にふらつくことがなく、作業の安定性が高く、ハンドル部の変形防止にも効果があり、人がブレード部とハンドル部との間の空間部の中に入って引くこともでき、作業性が向上する。尚、本明細書において、Ｕ字形は、コ字形と同義語である。本発明において、ハンドル部がブレード部の土均し部と土抑え部との両方に固定されれば、ハンドル部とブレード部との固定が強固になる。本発明において、ハンドル部がパイプ部材からなり、パイプ部材の端部が板状に押し潰されてブレード部への固定部として構成されれば、ハンドル部が軽量になるとともにブレードに取付け易くなる。
【図面の簡単な説明】
【０００９】
【図１】発明を実施するための形態１に係る整地用具を示した斜視図。
【図２】発明を実施するための形態１に係る整地用具を引く場合の使い方及びその作用を示した模式図。
【図３】発明を実施するための形態１に係る整地用具を押した場合の使い方及びその作用を示した模式図。
【図４】発明を実施するための形態１に係る整地用具のハンドル部の形成途中の態様を示した斜視図。
【図５】発明を実施するための形態１に係る整地用具のハンドル部とブレード部との固定構造を示した断面図。
【図６】発明を実施するための形態２に係る整地用具を示した断面図。
【図７】発明を実施するための形態３に係る整地用具の一部を示した平面図。
【図８】特許文献１の整地用具の一部を示した斜視図。
【発明を実施するための形態】
【００１０】
図１を参照し、発明を実施するための形態１に係る整地用具１について説明する。図１に示した整地用具１は、ブレード部２とブレード部２より延びたハンドル部３とを備え、ブレード部２が横長な板状の土均し部４と土均し部４の上縁部の側よりハンドル部３の側に突出した横長な板状の土抑え部５とを備えたことで、ブレード部２の構造が簡単であり、ブレード部２の剛性が向上し、ブレード部２の変形が抑えられ、ブレード部２の高さを抑えることでブレード部２を小型にでき、整地用具１の取扱い性がよい。ブレード部２が土均し部４と土抑え部５とからなるＬ字形に構成されれば、ブレード部２のＬ字形の構成は折り曲げに限定されるものでないが、ブレード部２が形成しやすい。
【００１１】
整地用具１では、土均し部４に排土孔部６が設けられたことで、ブレード部２の土抑え部５が土均し部４からの土の乗り越しを防ぎ、ブレード部２の排土孔部６から土が抜けやすくなり、土均し部４で土を掻いた時に溜まった土が排土孔部６から抜け、ブレード部２が土の重みで重くならない。土均し部４で土を掻いた時に溜まった土が排土孔部６から抜けることで、土を適度に散らし、整地された地面の表面がふわりとした状態になる。
【００１２】
排土孔部６は孔であれば適用可能であるが、排土孔部６が土均し部４に穴あけ加工された複数個の横長孔部７により構成されたことで、一つの横長孔部７からの抜ける土の量を多くできるため、孔部の数を減らすことができ、横長孔部７を形成しやすい。
【００１３】
排土孔部６としては、土均し部４に穴あけ加工された図示のされていない横長孔部を土均し部４に固定された図示のされていない網部材又は図示のされていない多孔板部材で複数個の横長孔部に仕切るように構成しても適用可能である。上記土均し部４に穴あけ加工された図示のされていない横長孔部は、横長孔部７と相違する大きい横長な孔である。横長孔部７は、図１に示した横長角形に限定されるものではなく、横方向の端部が弧状になった横長楕円形であってよい。又、横長孔部７の配列は、図１に示した横一列な配置に限定されるものではなく、隣り合うどうし又は複数個置きごとに上下に位置をずらした凹凸な配置であってよい。
【００１４】
ハンドル部３はパイプ部材又は中実部材からなる棒状であっても適用可能であるが、ハンドル部３が対峙する２本の縦アーム部８と２本の縦アーム部８を繋ぐ１本の横アーム部９とかなるＵ字形に構成されたことで、２本の縦アーム部８の両端部がブレード部２に固定でき、人が土を均す時に１本の横アーム部９を操作してふらつくことがなく、作業の安定性が高く、ハンドル部３の変形防止にも効果がある。即ち、ハンドル部３のＵ字形は、ハンドル部３の両端部がブレード部２に左右に間隔をおいて固定される形状を意味する。又、人がブレード部２とハンドル部３との間の空間部の中に入って引くこともでき、作業性が向上する。ブレード部２とハンドル部３との間の空間部は、ブレード部２とハンドル部３の２本の縦アーム部８と横アーム部９との間の空間部と同義語である。尚、Ｕ字形には、２本の縦アーム部８が互いに平行な態様、２本の縦アーム部８における横アーム部９の側の間隔が縦アーム部８におけるブレード部２の側の間隔よりも狭い態様、２本の縦アーム部８における横アーム部９の側の間隔が縦アーム部８におけるブレード部２の側の間隔よりも狭い態様が包含される。
【００１５】
ハンドル部３の対峙する２本の縦アーム部８の両端部のそれぞれがブレード部２の土均し部４と土抑え部５との一方に固定されても適用可能であるが、ハンドル部３の対峙する２本の縦アーム部８の両端部のそれぞれがブレード部２の土均し部４と土抑え部５との両方に固定されたことで、ハンドル部３とブレード部２との固定が強固になる。ハンドル部３とブレード部２との固定は、溶接やねじ等のいろいろな構造が適用可能である。
【００１６】
図２及び図３を参照し、発明を実施するための形態１に係る整地用具１の使い方について説明する。図２に示した使い方は、図２のＡ図に示したように人１０がブレード部２とハンドル部３との間の空間部の中に入って引く場合であり、凹凸の小さな地面１１を均すときに向いており、整地用具１が楽に引ける。具体的には、図２のＢ図に示したようにブレード部２の重みで凸部１２の土を削り、図２のＣ図に示したように削られた土が土抑え部５で土均し部４からの乗り越しを防がれてブレード部２の前に溜まり、図２のＤ図に示したように溜まった土がブレード部２の排土孔部６から後方に抜けながら凹部１３と削られた跡とを埋める。尚、人１０が整地用具１を引く場合、人１０がブレード部２とハンドル部３との間の空間部の中に入らずに引くことも適用可能である。
【００１７】
図３に示した使い方は、図３のＡ図に示したように人１０がハンドル部３の外側から横アーム部９を押す場合であり、凹凸の大きな地面１４を均すときに向いており、人１０の体重を整地用具１に掛けてしっかり土を削れる。具体的には、図３のＢ図に示したように人１０の体重を整地用具１に合わせた重みで凸部１５の深くまで土を削り、図３のＣ図に示したように削られた土がブレード部２の前と上に溜まり、図３のＤ図に示したように溜まった土がブレード部２の排土孔部６とブレード部２の上とから後方に抜けながら凹部と削られた跡１６とを埋める。
【００１８】
図４を参照し、発明を実施するための形態１に係る整地用具１におけるハンドル部３について説明する。ハンドル部３は内部の刳り貫かれていない中実部材で構成されても適用可能であるが、ハンドル部３がパイプ部材１７からなり、パイプ部材１７の両端部が板状に押し潰されてブレード部２への固定部１８として構成される。例えば、１本のパイプ部材１７が曲げ加工によりＵ字形に形成され、パイプ部材１７の両端部が板状に押し潰されてブレード部２への固定部１８として構成される。１本のパイプ部材１７がＵ字形に曲げ加工される工程とパイプ部材１７の両端部が固定部１８として構成される工程とのどちらが先でもよい。
【００１９】
図４及び図５を参照し、発明を実施するための形態１に係るハンドル部３とブレード部２との固定構造について説明する。図４に示した固定部１８が縦アーム部８を構成するパイプ部材１７の材軸方向１９に交差する方向に折り曲げられる。材軸方向１９はパイプ部材１７の延長方向と同義語である。そして、図５に示したように、折り曲げられた固定部１８がブレード部２の土均し部４に溶接又はねじ等の固定手段２１で固定され、２本の縦アーム部８の固定部１８の側の部分がブレード部２の土抑え部５に溶接又はねじ等の固定手段２２で固定されたことで、土均し部４の高さＨ１と土抑え部５の前後幅Ｈ２とを同程度のなるべく小さい寸法に設定しても、固定手段２１，２２が干渉しないように設けられる。２本の縦アーム部８の固定部１８の側の部分がブレード部２の土抑え部５にねじ等で固定される場合、図４及び図５に示したように、２本の縦アーム部８の固定部１８の側の内部のそれぞれにスペーサ部２０を設ければ、パイプ部材１７が潰れるのを防ぐことができる。尚、図５に示した土均し部４と土抑え部５とのハンドル部３の側の挟角θは、９０度に限定されるものではなく、９０度以外の角度でも適用可能である。又、土均し部４と土抑え部５との交差部２３は尖って突出した角形状ではなく弧状形でも角形状の外側面に面取り部を形成しても適用可能ある。
【００２０】
図６を参照し、発明を実施するための形態２に係る整地用具１について説明する。図６に示した整地用具１では、ブレード部２が横長な板状の土均し部４との上縁部の側よりハンドル部３の側に突出した横長な板状の土抑え部５とからなる弧状形に構成されたことで、ブレード部２の構造が簡単であり、ブレード部２の剛性が向上し、ブレード部２の変形が抑えられ、ブレード部２の高さを抑えることでブレード部２を小型にでき、整地用具１の取扱い性がよい。ブレード部２の弧状形の構成は折り曲げに限定されるものでないが、ブレード部２が形成しやすい。例えば、図６において、弧状形のブレード部２の一半部が土均し部４であり、弧状形になったブレード部２の他半部が土抑え部５であり、土均し部４と土抑え部５との交差部２３がブレード部２の弧状形に包含された弧状形になっている。尚、円弧形は円形の４分の１に限定されるものではない。
【００２１】
図７を参照し、発明を実施するための形態３に係る整地用具１について説明する。図７に示した整地用具１では、ハンドル部３がブレード部２より延びたパイプ部材又は中実部材からなる棒状に構成され、ハンドル部３の先端部２４が弧状形になって空間部２５を片側開口形に形成し、人が空間部２５に出入りしやすい。先端部２４における空間部２５の前部を構成する部分は、弧状形以外の形状でも適用可能ある。又、ハンドル部３における空間部２５とブレード部２の側の付け根部２６との間の斜め部２７は無くてもよい。又、図７に仮想線で示したように、ブレード部２と棒状に構成されたハンドル部３と補助部材２８で連結されも適用可能ある。補助部材２８は２本に限定されるものではなく１本又は３本以上でもよい。
【００２２】
図示は省略したが、ブレード部２の形はＬ字形や弧状形に限定されるものではなく、例えば、図５における土均し部４の一部が土抑え部５よりも上方に突出するか又は土抑え部５の一部が土均し部４よりハンドル部３の反対側に突出するＴ字形でも適用可能である。
【実施例】
【００２３】
次の数値に限定されるものではないが、一例として記載すれば、ブレード部２の横幅が１８００ｍｍ、土均し部４の高さと土抑え部５の前後幅とが６４ｍｍ、横長孔部７の横幅が４０ｍｍ、横長孔部７の高さが２２ｍｍ、横長孔部７の個数は３２個、ハンドル部３の縦アーム部８の長さが１８００ｍｍ、ハンドル部３の横アーム部９の長さが５００ｍｍである。
【符号の説明】
【００２４】
１    整地用具
２    ブレード部
３    ハンドル部
４    土均し部
５    土抑え部
６    排土孔部
７    横長孔部
８    縦アーム部
９    横アーム部
１０  人
１１  凹凸の小さな地面
１２  凸部
１３  凹部
１４  凹凸の大きな地面
１５  凸部
１６  削られた跡
１７  パイプ部材
１８  固定部
１９  パイプ部材１７の材軸方向
２０  スペーサ部
２１  固定部１８と土均し部４との固定手段
２２  縦アーム部８と土抑え部５との固定手段
２３  交差部
２４  ハンドル部３の先端部
２５  空間部
２６  付け根部
２７  斜め部
２８  補助部材
【図１】
0006734024.tif 000002
【図２】
0006734024.tif 000003
【図３】
0006734024.tif 000004
【図４】
0006734024.tif 000005
【図５】
0006734024.tif 000006
【図６】
0006734024.tif 000007
【図７】
0006734024.tif 000008
【図８】
0006734024.tif 000009